【手続補正書】
【提出日】平成18年12月19日(2006.12.19)
【手続補正１】
【補正対象書類名】明細書
【補正対象項目名】特許請求の範囲
【補正方法】変更
【補正の内容】
【特許請求の範囲】
【請求項１】  複数のファイルが記録可能なプログラム領域と、上記プログラム領域に記録された所定ファイルに対する改ざん禁止情報を管理する管理領域とを備える記録媒体からデータの再生を行う再生装置において、
上記記録媒体に記録されているファイルに対して再生を行う度に上記記録媒体の管理領域に管理された改ざん禁止情報に対して所定の関数に基づく演算を施す演算手段と、
前回の再生指示時に上記演算手段において演算された値と今回の再生指示時に上記演算手段において演算された値とを比較する比較手段と、
上記比較手段において前回演算された上記値と今回演算された上記値とが同一であるときに、今回再生指示されたファイルの再生を許可する制御手段と
を備えることを特徴とする再生装置。
【請求項２】  請求項１において、
上記改ざん禁止情報は、少なくとも再生回数および／または再生制限値であることを特徴とする再生装置。
【請求項３】  請求項１において、
上記改ざん禁止情報は、ファイルの属性情報、再生制限フラグ、再生開始日、再生期限日、ファイルの再生回数、再生許可回数、複写制御フラグ、高速デジタルコピー許可回数であることを特徴とする再生装置。
【請求項４】  請求項１において、
上記演算手段における所定の関数に基づく演算は、ハッシュ関数であることを特徴とする再生装置。
【請求項５】  請求項１において、
上記再生装置は、さらに内部タイマを有し、
上記内部タイマにおいて計数された日時情報が上記再生期限日以降であった場合に、以降の再生を上記制御手段において、禁止することを特徴とする再生装置。
【請求項６】  請求項１において、
上記再生装置は、さらに内部タイマを有し、
上記内部タイマにおいて計数された日時情報が上記再生開始日以降であると判断された場合に、以降の再生を上記制御手段において、許可することを特徴とする再生装置。
【請求項７】  請求項１において、
上記管理領域には、内部タイマにおいて計時した計時情報が管理されており、上記計時情報に関しても所定の関数に基づく演算を上記演算手段において施すと共に、前回の再生指示時に上記演算手段において演算された上記値と今回の再生指示時に上記演算手段において演算された上記値とを上記比較手段において比較し、上記比較手段において前回演算された上記値と、今回演算された上記値とが同一であると判断されたときに、上記制御手段により再生を許可するようにしたことを特徴とする再生装置。
【請求項８】  請求項１において、
上記各ファイルには暗号化のためのキー情報が記録されており、上記演算手段は、上記再生指示が行われたファイルに記録されている上記キー情報と、上記改ざん禁止情報とに基づいて、所定の関数に基づく演算を行うことを特徴とする再生装置。
【請求項９】  請求項１において、
上記各ファイルには暗号化のためのキー情報が記録されており、所定のファイルに対して編集処理が行われた場合には、新たなキー情報を生成しなおして、上記演算手段は、新たに生成した上記キー情報と、上記改ざん禁止情報とに基づいて、所定の関数に基づく演算を行うことを特徴とする再生装置。
【請求項１０】  改ざん禁止情報が管理されている属性ヘッダが付加されたメインファイルと、少なくとも計時情報が管理されている再生管理ファイルが記録されている記録媒体を再生する再生装置において、
上記記録媒体に記録されているメインファイルの再生を行う度に上記記録媒体の管理領域に管理された改ざん禁止情報に対して所定の関数に基づく演算を施すと共に、上記計時情報が更新される度に上記計時情報に対して演算を施す演算手段と、
前回の再生指示時に上記演算手段において演算された値と今回の再生指示時に上記演算手段において演算された値とを比較する第１の比較手段と、
前回の計時情報更新時に上記演算手段において演算された値と今回の計時情報更新時に上記演算手段において演算された値とを比較する第２の比較手段と、
上記第１の比較手段において、前回演算された上記値と今回演算された上記値とが同一であるとき、または上記第２の比較手段において前回演算された上記値と今回演算された上記値とが同一であるときに、再生を許可する制御手段と
を備えることを特徴とする再生装置。
【請求項１１】  請求項１０において、
上記改ざん禁止情報は、少なくとも再生回数および／または再生制限値であることを特徴とする再生装置。
【請求項１２】  請求項１０において、
上記改ざん禁止情報は、ファイルの属性情報、再生制限フラグ、再生開始日、再生期限日、ファイルの再生回数、再生許可回数、複写制御フラグ、高速デジタルコピー許可回数であることを特徴とする再生装置。
【請求項１３】  請求項１０において、
上記演算手段における所定の関数に基づく演算は、ハッシュ関数であることを特徴とする再生装置。
【請求項１４】  請求項１０において、
上記再生装置は、さらに内部タイマを有し、
上記内部タイマにおいて計数された日時情報が上記再生期限日以降であった場合に、以降の再生を上記制御手段において、禁止することを特徴とする再生装置。
【請求項１５】  請求項１０において、
上記再生装置は、さらに内部タイマを有し、
上記内部タイマにおいて計数された日時情報が上記再生開始日以降であると判断された場合に、以降の再生を上記制御手段において、許可することを特徴とする再生装置。
【請求項１６】  請求項１０において、
上記各メインファイルには、暗号化のためのキー情報が記録されており、上記演算手段は、上記再生指示が行われたメインファイルに記録されている上記キー情報と上記改ざん禁止情報とに基づいて、所定の関数による演算を行うことを特徴とする再生装置。
【請求項１７】  請求項１０において、
上記計時情報は、ファイルが記録される際に生成され、生成した上記メインファイルに含まれるキー情報と、上記計時情報とに基づいて所定の関数による演算を施すことを特徴とする再生装置。
【請求項１８】  請求項１０において、
上記各メインファイルには、暗号化のためのキー情報が記録されており、所定のファイルに対して編集処理が行われた場合には、新たなキー情報を生成しなおして、上記演算手段は、新たに生成した上記キー情報と上記改ざん禁止情報とに基づいて、所定の関数に基づく演算を行うことを特徴とする再生装置。
【請求項１９】  複数のファイルが記録可能なプログラム領域と、上記プログラム領域に記録された所定のファイルに対する改ざん禁止情報を管理する管理領域とを備える記録媒体からデータの再生を行う再生方法において、
上記記録媒体に記録されているファイルに対して再生を行う度に上記記録媒体の管理領域に管理された改ざん禁止情報に対して所定の関数に基づく演算を施すステップと、
前回の再生指示時に演算された値と今回の再生指示時に演算された値とを比較するステップと、
上記比較結果において前回演算された上記値と今回演算された上記値とが同一であるときに今回再生指示されたファイルの再生を許可するステップと
を備えることを特徴とする再生方法。
【請求項２０】  改ざん禁止情報が管理されている属性ヘッダが付加されたメインファイルと、少なくとも計時情報が管理されている再生管理ファイルとが記録されている記録媒体を再生する再生方法において、
上記記録媒体に記録されているメインファイルの再生を行う度に上記記録媒体の管理領域に管理された改ざん禁止情報に対して所定の関数に基づく演算を施すと共に、上記計時情報が更新される度に上記計時情報に対して演算を施すステップと、
前回の再生指示時に演算された値と今回の再生指示時に演算された値とを比較するステップと、
前回の計時情報更新時に演算された値と今回の計時情報更新時に演算された値とを比較するステップと、
前回の再生指示時に演算された上記値と今回の再生指示時に演算された上記値とが同一であるとき、または前回の計時情報更新時に演算された上記値と今回の計時情報更新時に演算された上記値とが同一であるときに再生を許可するステップと
を備えることを特徴とする再生方法。
【手続補正２】
【補正対象書類名】明細書
【補正対象項目名】０００７
【補正方法】変更
【補正の内容】
【０００７】
【課題を解決するための手段】
以上の問題を解決するために請求項１の発明は、複数のファイルが記録可能なプログラム領域と、プログラム領域に記録された所定ファイルに対する改ざん禁止情報を管理する管理領域とを備える記録媒体からデータの再生を行う再生装置において、記録媒体に記録されているファイルに対して再生を行う度に記録媒体の管理領域に管理された改ざん禁止情報に対して所定の関数に基づく演算を施す演算手段と、前回の再生指示時に演算手段において演算された値と今回の再生指示時に演算手段において演算された値とを比較する比較手段と、比較手段において前回演算された値と今回演算された値とが同一であるときに、今回再生指示されたファイルの再生を許可する制御手段とを備えることを特徴とする再生装置である。
【手続補正３】
【補正対象書類名】明細書
【補正対象項目名】０００８
【補正方法】変更
【補正の内容】
【０００８】
また、請求項１０の発明は、改ざん禁止情報が管理されている属性ヘッダが付加されたメインファイルと、少なくとも計時情報が管理されている再生管理ファイルが記録されている記録媒体を再生する再生装置において、記録媒体に記録されているメインファイルの再生を行う度に記録媒体の管理領域に管理された改ざん禁止情報に対して所定の関数に基づく演算を施すと共に、計時情報が更新される度に計時情報に対して演算を施す演算手段と、前回の再生指示時に演算手段において演算された値と今回の再生指示時に演算手段において演算された値とを比較する第１の比較手段と、前回の計時情報更新時に演算手段において演算された値と今回の計時情報更新時に演算手段において演算された値とを比較する第２の比較手段と、第１の比較手段において、前回演算された値と今回演算された値とが同一であるとき、または第２の比較手段において前回演算された値と今回演算された値とが同一であるときに、再生を許可する制御手段とを備えることを特徴とする再生装置である。
【手続補正４】
【補正対象書類名】明細書
【補正対象項目名】０００９
【補正方法】変更
【補正の内容】
【０００９】
そして、請求項１９の発明は、複数のファイルが記録可能なプログラム領域と、プログラム領域に記録された所定のファイルに対する改ざん禁止情報を管理する管理領域とを備える記録媒体からデータの再生を行う再生方法において、記録媒体に記録されているファイルに対して再生を行う度に記録媒体の管理領域に管理された改ざん禁止情報に対して所定の関数に基づく演算を施すステップと、前回の再生指示時に演算された値と今回の再生指示時に演算された値とを比較するステップと、比較結果において前回演算された値と今回演算された値とが同一であるときに今回再生指示されたファイルの再生を許可するステップとを備えることを特徴とする再生方法である。
【手続補正５】
【補正対象書類名】明細書
【補正対象項目名】００１０
【補正方法】変更
【補正の内容】
【００１０】
また、請求項２０の発明は、改ざん禁止情報が管理されている属性ヘッダが付加されたメインファイルと、少なくとも計時情報が管理されている再生管理ファイルとが記録されている記録媒体を再生する再生方法において、記録媒体に記録されているメインファイルの再生を行う度に記録媒体の管理領域に管理された改ざん禁止情報に対して所定の関数に基づく演算を施すと共に、計時情報が更新される度に計時情報に対して演算を施すステップと、前回の再生指示時に演算された値と今回の再生指示時に演算された値とを比較するステップと、前回の計時情報更新時に演算された値と今回の計時情報更新時に演算された値とを比較するステップと、前回の再生指示時に演算された値と今回の再生指示時に演算された値とが同一であるとき、または前回の計時情報更新時に演算された値と今回の計時情報更新時に演算された値とが同一であるときに再生を許可するステップとを備えることを特徴とする再生方法である。